(57)【特許請求の範囲】
【請求項１】
給水元管からの水を止水栓，減圧弁の順に経由して入水管を通じ電気温水器に入水させる一方、該電気温水器内の湯を出湯管を通じて出湯するようになした給湯設備において、
前記減圧弁を水抜栓を有するものとなし、該減圧弁又は該減圧弁及び前記電気温水器の膨張水を逃すための逃し弁を該電気温水器と別体となして分離し、前記止水栓の上方に取付保持させ、
前記電気温水器及び止水栓を洗面化粧台のキャビネット内に設置するとともに、該電気温水器を引出し裏のスペースに、該止水栓を該引出しよりも後方の位置に且つ該洗面化粧台の排水管に対し正面視において該排水管を間にして左，右に並んで設置してあることを特徴とする給湯設備。
【請求項２】
請求項１に記載の給湯設備において、前記減圧弁が、給水元管からの一次側の水を流入させる流入口と、第一及び第二の一対の流出口とを有しており、該第一流出口に対して前記入水管の一端側が接続されるとともに、該減圧弁の上部に設けられた該第二流出口に対して二次側給水管の一端側が接続され、該入水管の他端側が前記電気温水器に、該二次側給水管の他端側が該減圧弁の上方に配置した混合水栓における水側流入口に接続される一方、前記出湯管が該混合水栓における湯側流入口に接続されており、且つ前記減圧弁が前記流入口において前記止水栓に対し直接又は連結管体を介し間接的に接続されて該止水栓により保持されていることを特徴とする給湯設備。
【請求項３】
請求項２に記載の給湯設備において、前記電気温水器が前記洗面化粧台の前記排水管に対し正面視において左側に設置してあるとともに、前記止水栓が右側に配設してあることを特徴とする給湯設備。
【発明の詳細な説明】
【０００１】
【発明の属する技術分野】
この発明は給湯設備に関し、詳しくは電気温水器を備えた給湯設備に関する。
【０００２】
【従来の技術】
従来、洗面化粧台のキャビネット内部に小型の電気温水器を設置し、洗面化粧台に備えた混合水栓の湯側（湯側流入口）に電気温水器の湯を供給するといったことが行われている。
このようにすると、洗面化粧台が給湯機から遠く離れた位置に設置されている場合においても、混合水栓を操作したときに直ちに湯又は所望温度の混合水を吐水させることができる。
【０００３】
この電気温水器を用いた洗面化粧台の給湯設備の場合、給水元管からの水を止水栓，減圧弁を経由して入水管を通じ電気温水器に入水させ、また電気温水器の膨張水を逃し弁により外部へと逃すようにしている。
ここで減圧弁，逃し弁は、従来電気温水器に内蔵させておくか或いはその外部において電気温水器に直接取付固定していた。
【０００４】
図６はこの種電気温水器を用いた洗面化粧台の給湯設備の一例を示したものである。
図示の例は減圧弁，逃し弁を電気温水器の外側に取付固定した場合の例で、図中２００は電気温水器を、２０２，２０４はそれぞれ減圧弁，逃し弁を示している。
【０００５】
２０６は給水元管に接続された止水栓で、２０８はその止水栓２０６から延び出した一次側給水管であり、その先端に上記減圧弁２０２が接続されている。
そしてこの減圧弁２０２から二次側給水管２１０と入水管２１１とが分岐して延び出しており、それぞれが洗面化粧台における混合水栓２１２の水側流入口２１４と電気温水器２００の給水口とにそれぞれ接続されている。
【０００６】
詳しくは、減圧弁２０２は水の流入口を備えていて、その流入口において一次側給水管２０８に接続され、更に第一及び第二の流出口を備えていて、その第一の流出口に入水管２１１の一端側が、また第二の流出口に二次側給水管２１０の一端側がそれぞれ接続されている。
そして入水管２１１，二次側給水管２１０の他端側がそれぞれ電気温水器２００の給水口，混合水栓２１２の水側流入口２１４に接続されている。
【０００７】
電気温水器２００からは、内部の湯を出湯させる出湯管２１６が延び出しており、その先端が上記混合水栓２１２における湯側流入口２１８に接続されている。即ち電気温水器２００の湯が混合水栓２１２へと供給されるようになっている。
尚、２２０は混合水栓２１２における水栓本体で、２２２，２２４はそれぞれ水側ハンドル，湯側ハンドルであり、２２６は吐水口である。
【０００８】
上記入水管２１１からは分岐管２２８が分岐して延び出しており、この分岐管２２８上に、上記の逃し弁２０４が接続されている。
この逃し弁２０４は電気温水器２００の膨張水を逃すためのもので、この逃し弁２０４からの溢出水が排水管２３０へと排出される。
【０００９】
【発明が解決しようとする課題】
上記のように電気温水器２００を用いた従来の給湯設備の場合、減圧弁２０２，逃し弁２０４が電気温水器２００に内蔵させてあるか又は図６に示しているように電気温水器２００の外部に取付固定してあり、これに起因してそれら減圧弁２０２，逃し弁２０４を含めた電気温水器２００の外形寸法が大きくなり、これを洗面化粧台のキャビネット内部に設置するに際してそれらが広いスペースを占有してしまい、キャビネット内部の収納スペースが狭くなってしまうといった問題があった。
【００１０】
或いはまた電気温水器２００の外形寸法が大きくなってしまうことから、これを洗面化粧台のキャビネット内に設置しようとしたときに洗面化粧台に備えられている排水管や排水トラップ等と干渉してしまって電気温水器を良好に設置できなかったり、或いは特に薄型のキャビネットの場合において電気温水器２００の設置自体ができないといった問題があった。
【００１１】
この他従来の給湯設備の場合、混合水栓２１２から水を吐水させようとしたとき、内部の膨張によって加圧状態にある電気温水器２００内の湯が入水管２１１，減圧弁２０２，二次側給水管２１０を通じて混合水栓２１２へと押し出されて混合水栓２１２から吐出されてしまう、不快な湯戻りの現象を生じるといった問題も生じていた。
【００１２】
【課題を解決するための手段】
本発明の給湯設備はこのような課題を解決するためになされたものである。
而して請求項１のものは、給水元管からの水を止水栓，減圧弁の順に経由して入水管を通じ電気温水器に入水させる一方、該電気温水器内の湯を出湯管を通じて出湯するようになした給湯設備において、前記減圧弁を水抜栓を有するものとなし、該減圧弁又は該減圧弁及び前記電気温水器の膨張水を逃すための逃し弁を該電気温水器と別体となして分離し、前記止水栓の上方に取付保持させ、前記電気温水器及び止水栓を洗面化粧台のキャビネット内に設置するとともに、該電気温水器を引出し裏のスペースに、該止水栓を該引出しよりも後方の位置に且つ該洗面化粧台の排水管に対し正面視において該排水管を間にして左，右に並んで設置してあることを特徴とする。
【００１３】
請求項２のものは、請求項１に記載の給湯設備において、前記減圧弁が、給水元管からの一次側の水を流入させる流入口と、第一及び第二の一対の流出口とを有しており、該第一流出口に対して前記入水管の一端側が接続されるとともに、該減圧弁の上部に設けられた該第二流出口に対して二次側給水管の一端側が接続され、該入水管の他端側が前記電気温水器に、該二次側給水管の他端側が該減圧弁の上方に配置した混合水栓における水側流入口に接続される一方、前記出湯管が該混合水栓における湯側流入口に接続されており、且つ前記減圧弁が前記流入口において前記止水栓に対し直接又は連結管体を介し間接的に接続されて該止水栓により保持されていることを特徴とする。
【００１４】
請求項３のものは、請求項２に記載の給湯設備において、前記電気温水器が前記洗面化粧台の前記排水管に対し正面視において左側に設置してあるとともに、前記止水栓が右側に配設してあることを特徴とする。
【００１５】
【作用及び発明の効果】
上記のように請求項１のものは、電気温水器における減圧弁又は減圧弁と逃し弁とを電気温水器と別体となして分離し、止水栓に取付保持させたもので、この給湯設備によれば電気温水器の外形寸法を小さくでき、これを洗面化粧台のキャビネット内部に設置したときに電気温水器の占有するスペースが少なくなって、キャビネット内部の収納スペースを広く確保することができる。
【００１６】
或いは電気温水器をキャビネット内部に設置するに際して、キャビネット内を通っている洗面化粧台の排水管や排水トラップ等との干渉を回避でき、支障なく電気温水器をキャビネット内に設置できるようになる。
或いは薄型の洗面化粧台のキャビネット内にも電気温水器を設置することが可能となる。
【００１７】
上記電気温水器は、洗面化粧台のキャビネット内部に設置するに際してキャビネット内の引出し裏のスペースに設置しておくことができる。
キャビネット内且つ引出し裏のスペースは従来デッドスペースとなっており、従ってそこに電気温水器を設置することによってデッドスペースを有効に活用でき、ひいてはキャビネット内部の収納スペースを広く確保することができる。
【００１８】
本発明においては、上記減圧弁を止水栓に接続してその止水栓により減圧弁を保持させるとともに、その減圧弁から入水管と二次側給水管を延び出させて、それぞれを電気温水器，混合水栓の水側流入口に接続し、更に電気温水器からの出湯管を混合水栓の湯側流入口に接続しておくことができる（請求項２）。
このようにすれば、減圧弁を必要な配管と接続した状態で止水栓により保持しておくことができる。
そしてそれら配管を通じて混合水栓に給水元管からの水と電気温水器からの湯とを供給でき、混合水栓から所望温度の混合水を吐水させることができる。
【００１９】
本発明においてはまた、電気温水器を洗面化粧台に設置するに際して、これを正面視において排水管に対し右側に位置する止水栓とは反対側、即ち左側に配設しておくことができる（請求項３）。
このようにしておくと上記入水管，二次側給水管を含む水の配管長さ、つまり電気温水器内の湯が混合水栓の水側流入口まで押し出される経路の配管長さを長くすることができ（配管が電気温水器とは反対側の止水栓を経由して混合水栓の水側流入口に到ることとなるため）、混合水栓から水を吐出させたときに、配管内で冷えた水が吐水され、上記のような不快な湯戻りの現象を抑制することができる。
【００２０】
本発明においては、逃し弁を減圧弁の第二流出口に接続してこれを減圧弁により保持させ、詳しくは減圧弁を介して止水栓により保持させ、そしてその逃し弁を介して上記二次側給水管を減圧弁に接続しておくことができる。
このようにしておけば、電気温水器からの膨張水を入水管，減圧弁を介して逃し弁により外部へと逃すことができる。
【００２１】
また図６に示す従来の給湯設備のように、入水管２１１から分岐管２２８を分岐して延び出させた上、その分岐管２２８上に逃し弁を接続しておくといったことを行わなくても良く、配管施工及び逃し弁の組付けが容易となる。
【００２２】
本発明においてはまた、上記減圧弁の上方に逃し弁を配置しておくことができる。
このようにしておけば、必要な場合に減圧弁の内部及び逃し弁の内部の水を抜き出して空の状態としておくことができ、従って特に寒冷地等においてそれら減圧弁や逃し弁内部の水が凍結して凍害を起こすといったことを防止できる。
【００２３】
本発明においては、上記減圧弁又は減圧弁及び逃し弁を対応する相手側に対し弾性クリップによりクイックジョイント方式で接続しておくことができる。
このようにすれば、給湯設備を設置するに際して減圧弁又は減圧弁及び逃し弁を電気温水器と別体となしてこれを止水栓側に接続するに際し、配管施工を簡単に行うことができる。
【００２４】
【実施例】
次に本発明の実施例を図面に基づいて詳しく説明する。
図１において１０は本例の洗面化粧台で、キャビネット１２と洗面器１４と、洗面器水栓としての混合水栓１６とを有している。
図２に示しているようにキャビネット１２には正面視において左側に引出し１８が設けられており、そしてキャビネット１２内部且つその引出し１８の裏側の空間に後述の電気温水器２０が設置されている。
【００２５】
図１に示しているように混合水栓１６は、この例では２ハンドル式のもので（他の形態であっても勿論良い）、水栓本体２２と、吐水口２４と、水側ハンドル２６及び湯側ハンドル２８と、水側流入口３０及び湯側流入口３２とを有している。
【００２６】
図１において、３４は給水元管に接続された止水栓である。止水栓３４は、洗面器１４からの排水を排出する排水管３６に対し、正面視において右側に配置され且つキャビネット１２の後壁に配設されている。
【００２７】
止水栓３４の上方には、電気温水器２０とは別体に構成された減圧弁３８が配置されており、この減圧弁３８が電気温水器２０とは離れた位置において、詳しくは排水管３６に対し左側に位置する電気温水器２０から反対側に大きく離れた位置において止水栓３４に直接接続され、その止水栓３４によって減圧弁３８が保持されている。
【００２８】
ここで減圧弁３８は、給水元管からの水を流入させる流入口４０と第一及び第二の一対の流出口４２，４４を有しており、その流入口４０において止水栓３４に接続されている。
減圧弁３８の第一流出口４２と第二流出口４４とのそれぞれには、入水管４６，二次側給水管４８の各一端側がそれぞれ接続されている。
【００２９】
ここで入水管４６は給水元管から送られて来た水を電気温水器２０に入水させるための管で、他端側がその電気温水器２０に接続されている。
一方二次側給水管４８は、給水元管からの水を上記混合水栓１６に給水するための管で、他端側が混合水栓１６における上記水側流入口３０に接続されている。
他方電気温水器２０からは出湯管５０が延び出しており、その先端側が混合水栓１６における湯側流入口３２に接続されている。
【００３０】
即ちこの例では給水元管からの水が止水栓３４，減圧弁３８を経由して入水管４６を通じ電気温水器２０に供給される一方、二次側給水管４８を通じて混合水栓１６に供給され、また併せて電気温水器２０からの湯が出湯管５０を通じて混合水栓１６に供給される。
混合水栓１６はそれら供給された水と湯とを所定比率で混合して、吐水口２４から吐水させる。
【００３１】
減圧弁３８の更に上方には逃し弁５２が配置されている。
逃し弁５２は電気温水器２０からの膨張水を外部に逃すためのもので、この例では逃し弁５２が減圧弁３８の第二流出口４４に接続されている。
上記二次側給水管４８は、この逃し弁５２を介して減圧弁３８に接続されている。
【００３２】
逃し弁５２は膨張水の溢出水出口５４を有しており、この溢出水出口５４から導管５６が延び出していて、膨張水即ち溢出水がその導管５６を通じ排水トラップ５８を経て排水管３６へと排出される。
尚６０は排水管３６に設けられた排水トラップ部である。
【００３３】
上記減圧弁３８の具体的構成が図３に詳しく示してある。
同図において６２はバルブボデーで、内部に逆止弁６４が組み込んであり、その逆止弁６４の上流側に一次側水路６６が、下流側に二次側水路６８が形成されている。
給水元管からの水はこの一次側水路６６を流通した後、ストレーナ７０を通って逆止弁６４を図中右向きに押し上げ、二次側水路６８へと流れ込む。二次側水路６８に流れ込んだ水は、上記第一流出口４２から入水管４６内部に流入し、また第二流出口４４から逃し弁５２を経て二次側給水管４８へと流出する。
【００３４】
７２は減圧弁３８の主要素を成す弁体で弁軸７４を介してダイヤフラム弁７６に連結されている。
この減圧弁３８は、弁体７２より下流側の圧力が上昇して一定圧に達すると、ダイヤフラム弁７６をスプリング７８の付勢力に抗して図中右向きに押し上げ、弁体７２を弁シート８０に当接させる。
これによって内部の二次側水路６８を遮断し、弁体７２より下流側の圧力を一次側の給水圧よりも一定圧低い減圧状態に保持する。
尚８１はスプリング７８の付勢力を調整する調整部材である。
【００３５】
この減圧弁３８には、下部に水抜栓８２が設けられている。
この水抜栓８２は弁体８４を有しており、その弁体８４を右向きに押込操作することで、バルブボデー６２内部の水を水抜口８６から外部に流出させる。
【００３６】
本例においては、止水栓３４側の接続部８８及び減圧弁３８の流入口４０がクイックジョイント方式で接続されている。
詳しくは、止水栓３４側の接続部８８には雄嵌合部９０と、その外周面上のＯリング９１と、大径のフランジ部９２とが設けられている一方、流入口４０には雌嵌合部９４と大径のフランジ部９２とが設けられており、それら雄嵌合部９０と雌嵌合部９４とが嵌合した状態の下で、一対のフランジ部９２が板ばね製の弾性クリップ９６により挟持されることで接続部８８と流入口４０とが互いに接続されている。
【００３７】
ここで弾性クリップ９６は、図４にも示しているように一対の弾性部９８と、それらの幅方向中間部に沿って形成された係入溝１００とを有しており、その係入溝１００の内部に上記一対のフランジ部９２を係入させることで、各フランジ部９２を挟持している。即ち接続部８８と流入口４０とを、Ｏリング９１によるシールの下で互いに接続している。
尚、第一流出口４２と入水管４６の接続部８８との接続構造、更には第二流出口４４と逃し弁５２側の接続部８８との接続構造も同様の接続構造とされている。
【００３８】
本例の給湯設備の場合、給水元管からの水は止水栓３４，減圧弁３８を経由して、入水管４６を通じ電気温水器２０へと供給されるとともに二次側給水管４８を通じて混合水栓１６の水側流入口３０へと供給される。また電気温水器２０からの湯が出湯管５０を通じて混合水栓１６の湯側流入口３２へと供給される。
【００３９】
混合水栓１６はそれら供給された水と湯とを所定比率で混合して吐水口２４から吐水する。
更に電気温水器２０の膨張水が入水管４６，減圧弁３８、更に逃し弁５２を経て外部に逃され、排水トラップ５８を経て配水管３６へと排出される。
【００４０】
このように本例の給湯設備にあっては、減圧弁３８と逃し弁５２とを電気温水器２０とは別体となして止水栓３４側に取付保持させていることから、電気温水器２０の外形寸法を小さくでき、これにより電気温水器２０を洗面化粧台１０のキャビネット１２内部の排水管３６や排水トラップ５８，排水トラップ部６０等と干渉させることなく、従来デッドスペースとなっていた引出し１８裏の空間に容易に設置することができる。そしてこれによりキャビネット１２内部の収納空間を広く確保することができる。
また従来では設置が困難であった薄型の洗面化粧台のキャビネットにも電気温水器２０を設置することが可能となる。
【００４１】
また減圧弁３８，逃し弁５２を電気温水器２０と別体とし且つ電気温水器２０から離して設置するに際しても、本例では止水栓３４にそれらを接続して保持させるようにしているため、減圧弁３８，逃し弁５２の取付けのための特別の取付部材を必要とせず、それらの取付けを簡単に行うことができる。
【００４２】
また本例では減圧弁３８，逃し弁５２の接続を弾性クリップ９６によるクイックジョイント方式としているため、給湯設備の設置に際して配管施工を簡単に行うことができる。
加えて本例では、減圧弁３８に対し逃し弁５２を直接接続するようにしているため、図６に示す従来の給湯設備のように分岐管２２８を入水管２１１から分岐して延び出させた上、その分岐管２２８上に逃し弁２０４を接続するといった面倒なことを行わなくても良く、配管施工及び逃し弁５２の組付けを容易に行うことができる。
【００４３】
また本例では、減圧弁３８を水抜栓８２を有するものとなし、そしてその減圧弁３８を止水栓３４の上方に、更にその減圧弁３８の上方に逃し弁５２を配置しているため、必要な場合にその水抜栓８２を開くことによって、減圧弁３８及び逃し弁５２の内部の水を抜き出して空の状態とすることができ、従って特に寒冷地等においてそれら減圧弁３８や逃し弁５２の内部の水が凍結して凍害を起こすといったことを防止できる。
【００４４】
更に本例では、排水管３６の右側に位置する止水栓３４に対し反対の左側に電気温水器２０を設置していることから、入水管４６，二次側給水管４８を通じて混合水栓１６に到る電気温水器２０からの湯戻りの経路を長くとることができ、即ち電気温水器２０から混合水栓１６に到る水側の配管の長さを長くとることができ、従って混合水栓１６から水を吐水させたときに当初からその配管内で冷えた水が吐水されることとなって、吐水初期に電気温水器２０内の湯が混合水栓１６まで湯戻りしてそこから吐出されてしまうといった不快な湯戻りの現象を抑制することができる。
【００４５】
また加えて本例では減圧弁３８を止水栓３４に接続していることから、その止水栓３４にストレーナが備えられている場合には、減圧弁３８にストレーナ７０を設けるのを省略できる利点も得られる。
【００４６】
以上本発明の実施例を詳述したがこれはあくまで一例示である。
例えば図５に示しているように、減圧弁３８を連結管体１０２を介して止水栓３４に接続する一方、連結管体１０２から支持部１０４を延び出させて、その支持部１０４により逃し弁５２を保持し、また入水管４６から分岐管１０６を分岐させてこれを逃し弁５２に接続し、電気温水器２０の膨張水をこの入水管４６，分岐管１０６を経て逃し弁５２により外部へと逃すようになすことも可能である。
更に本発明は洗面化粧台以外の給湯設備として適用することも可能であるなど、その主旨を逸脱しない範囲において種々変更を加えた形態で構成可能である。
【図面の簡単な説明】
【図１】  本発明の一実施例である給湯設備を示す図である。
【図２】  図１の電気温水器の設置箇所を示す図である。
【図３】  図１の減圧弁の構成を示す図である。
【図４】  図１の減圧弁及び逃し弁と相手側配管との接続構造を示す図である。
【図５】  本発明の他の実施例の要部を示す図である。
【図６】  従来の給湯設備の一例を示す図である。
【符号の説明】
１０  洗面化粧台
１２  キャビネット
１６  混合水栓
１８  引出し
２０  電気温水器
３０  水側流入口
３２  湯側流入口
３４  止水栓
３６  排水管
３８  減圧弁
４０  流入口
４２  第一流出口
４４  第二流出口
４６  入水管
４８  二次側給水管
５０  出湯管
５２  逃し弁
５４  溢出水出口
８２  水抜栓
９６  弾性クリップ
１０２  連結管体
【図１】
0004335373.tif 000002
【図２】
0004335373.tif 000003
【図３】
0004335373.tif 000004
【図４】
0004335373.tif 000005
【図５】
0004335373.tif 000006
【図６】
0004335373.tif 000007